(57)【要約】【課題】  塩素や塩素化合物以外の物質でも、脱硝用の触媒で排ガス中の水銀を酸化することができる脱硝装置を実現する。【解決手段】  少なくとも窒素酸化物と水銀を含む排ガスが通流する煙道７内に脱硝剤を注入する脱硝剤注入手段と、煙道７内に臭素とヨウ素の少なくとも一方を含む薬剤を注入する薬剤注入手段と、脱硝剤及び薬剤を含む排ガスが導入され、窒素酸化物を脱硝剤で還元する反応及び水銀を薬剤で酸化して臭化水銀又はヨウ化水銀の少なくとも一方を生成する反応を促進する触媒層１１を備えてなる脱硝装置。【選択図】図１
2010162520.tif 000002
【特許請求の範囲】
【請求項１】
少なくとも窒素酸化物と水銀を含む排ガスが通流する煙道内に脱硝剤を注入する脱硝剤注入手段と、前記煙道内に臭素とヨウ素の少なくとも一方を含む薬剤を注入する薬剤注入手段と、前記脱硝剤及び前記薬剤を含む排ガスが導入され、前記窒素酸化物を前記脱硝剤で還元する反応及び前記水銀を前記薬剤で酸化して臭化水銀又はヨウ化水銀の少なくとも一方を生成する反応を促進する触媒層を備えてなる脱硝装置。
【請求項２】
請求項１に記載の脱硝装置において、
前記薬剤は、臭素又はヨウ素の化合物であることを特徴とする脱硝装置。
【請求項３】
請求項１に記載の脱硝装置において、
前記薬剤は、臭素又はヨウ素のアンモニウム塩であることを特徴とする脱硝装置。
【請求項４】
少なくとも窒素酸化物と水銀を含む排ガスが通流する煙道内に臭素、塩素又はヨウ素のアンモニウム塩の少なくとも１つを脱硝剤として注入する注入手段と、前記脱硝剤を含む排ガスが導入され、前記窒素酸化物を前記脱硝剤で還元する反応及び前記水銀を前記脱硝剤で酸化して臭化水銀、塩化水銀又はヨウ化水銀の少なくとも１つを生成する反応を促進する触媒層を備えてなる脱硝装置。
【請求項５】
少なくとも窒素酸化物と水銀を含む排ガスが通流する煙道内に気体の脱硝剤に同伴させてハロゲンの単体又は化合物の少なくとも一方を含む薬剤を注入する注入手段と、前記脱硝剤と前記薬剤を含む排ガスが導入され、前記窒素酸化物を前記脱硝剤で還元する反応及び前記水銀を前記薬剤で酸化してハロゲン化水銀にする反応を促進する触媒層を備えてなる脱硝装置。
【発明の詳細な説明】
【技術分野】
【０００１】
本発明は、脱硝装置に係り、特に、排ガス中の窒素酸化物を還元するとともに、排ガス中の水銀を酸化する脱硝装置に関する。
【背景技術】
【０００２】
石炭や石油などをボイラで燃焼させて発生した排ガスには、窒素酸化物や微量の水銀などの有害物質が含まれることから、脱硝装置を含む排ガス処理装置で排ガスを浄化して煙突などから放出することが知られている。
【０００３】
例えば、特許文献１には、ボイラから排出された排ガスが通流する煙道内にアンモニアを注入し、アンモニアを含む排ガスを触媒層に導入し、排ガス中の窒素酸化物をアンモニアで還元する脱硝装置を含む排ガス処理装置が提案されている。また、同じ触媒層で排ガス中の水銀と塩化水素の酸化反応を促進させて塩化水銀を生成し、生成した塩化水銀を後段の湿式脱硫装置の吸収液に溶解させて排ガスから水銀を除去するようにしている。特に、同文献は、燃料に含まれる塩素分が少ないと、排ガス中の塩化水素が減少して水銀の酸化率が減少するから、触媒層の入口側に塩素や、塩化水素、塩化アンモニウムなどの塩素化合物を注入して水銀の酸化率を向上させている。
【先行技術文献】
【特許文献】
【０００４】
【特許文献１】特開平１０―２３０１３７号公報
【発明の概要】
【発明が解決しようとする課題】
【０００５】
しかしながら、特許文献１は、塩素や塩素化合物以外の物質で水銀を酸化することは配慮されていない。
【０００６】
本発明が解決しようとする課題は、塩素や塩素化合物以外の物質でも、脱硝用の触媒で排ガス中の水銀を酸化することができる脱硝装置を実現することにある。
【課題を解決するための手段】
【０００７】
上記の課題を解決するため、本発明の第１の態様の脱硝装置は、少なくとも窒素酸化物と水銀を含む排ガスが通流する煙道内に脱硝剤を注入する脱硝剤注入手段と、煙道内に臭素とヨウ素の少なくとも一方を含む薬剤を注入する薬剤注入手段と、脱硝剤及び薬剤を含む排ガスが導入され、窒素酸化物を脱硝剤で還元する反応及び水銀を薬剤で酸化して臭化水銀又はヨウ化水銀の少なくとも一方を生成する反応を促進する触媒層を備えることを特徴とする。
【０００８】
これによれば、排ガス中の水銀を臭素又はヨウ素と反応させて、水銀を臭化水銀やヨウ化水銀に酸化できることから、塩素や塩素化合物を使用することなく水銀を酸化することができる。特に、水銀と臭素の反応は反応速度が速く、臭素の注入量を抑えながら水銀を酸化できる。
【０００９】
また、臭素又はヨウ素の単体に代えて臭素又はヨウ素の化合物を煙道内に注入することができる。特に、臭素とヨウ素のアンモニウム塩は、煙道内の高温、例えば、３５０℃〜５００℃により、臭素やヨウ素とアンモニアに解離し、臭素やヨウ素が水銀を酸化するとともに、解離したアンモニアが脱硝剤として作用するから、煙道内に注入する脱硝剤の量を低減できる。
【００１０】
一方、本発明の第２の態様の脱硝装置は、少なくとも窒素酸化物と水銀を含む排ガスが通流する煙道内に臭素、塩素又はヨウ素のアンモニウム塩の少なくとも１つを脱硝剤として注入する注入手段と、脱硝剤を含む排ガスが導入され、窒素酸化物を脱硝剤で還元する反応及び水銀を脱硝剤で酸化して臭化水銀、塩化水銀又はヨウ化水銀の少なくとも１つを生成する反応を促進する触媒層を備えることを特徴とする。
【００１１】
これによれば、臭素、塩素又はヨウ素のアンモニウム塩が排ガス中の窒素酸化物を窒素に還元するとともに、排ガス中の水銀を臭化水銀、塩化水銀又はヨウ化水銀に酸化できる。つまり、煙道内の高温、例えば、３５０℃〜５００℃により臭素、塩素又はヨウ素のアンモニウム塩がアンモニアと臭素、塩素又はヨウ素に解離し、アンモニアが脱硝剤となり、臭素、塩素又はヨウ素が水銀を酸化する酸化剤となるから、脱硝装置の薬剤供給系を１系統にすることができる。なお、臭素と水銀の反応速度は速いことから、排ガス中の水銀量によって、臭素が過剰となることがある。この場合、臭化アンモニウムにアンモニアや尿素を加えることができる。
【００１２】
他方、本発明の第３の態様の脱硝装置は、少なくとも窒素酸化物と水銀を含む排ガスが通流する煙道内に気体の脱硝剤に同伴させてハロゲンの単体又は化合物の少なくとも一方を含む薬剤を注入する注入手段と、脱硝剤と薬剤を含む排ガスが導入され、窒素酸化物を脱硝剤で還元する反応及び水銀を薬剤で酸化してハロゲン化水銀にする反応を促進する触媒層を備えることを特徴とする。
【００１３】
これによれば、脱硝剤と水銀をハロゲン化水銀にする薬剤の注入手段をそれぞれ設けることなく、排ガスを脱硝でき、かつ、排ガス中の水銀を酸化できることから、脱硝剤と薬剤の供給系を１系統にでき、脱硝装置を簡素にできる。
【発明の効果】
【００１４】
本発明によれば、塩素や塩素化合物以外の物質でも、脱硝用の触媒で排ガス中の水銀を酸化することができる脱硝装置を実現できる。
【図面の簡単な説明】
【００１５】
【図１】本発明の実施形態１のボイラプラントの概略図である。
【図２】本発明の実施形態２のボイラプラントの概略図である。
【図３】本発明の実施形態３のボイラプラントの概略図である。
【発明を実施するための形態】
【００１６】
以下、本発明を実施の形態に基づいて説明する。
（実施形態１）
図１に実施形態１の脱硝装置を含むボイラプラントの概略図を示す。本実施形態のボイラプラントは、例えば、火力発電所に設けられている。ボイラ１は、化石燃料、例えば、粉砕された石炭を燃焼するようになっている。ボイラ１には、図示していない伝熱管が備えられ、伝熱管を通流する水をボイラ１で発生した排ガスの熱により蒸発させ、図示していない蒸気タービンに水蒸気を供給して発電できるようになっている。ボイラ１から排出された排ガスは、節炭器３に導入され、節炭器３に備えられた図示していない伝熱管内を通流する熱媒体と熱交換するようになっている。節炭器３から排出された排ガスは、脱硝装置５に導入されるようになっている。
【００１７】
脱硝装置５は、煙道７内に挿入された二流体ノズル９と、二流体ノズル９の後流側に形成された脱硝触媒層１１により構成されている。二流体ノズル９には、脱硝剤、例えば、アンモニアを貯留する脱硝剤容器１３と、水銀を酸化する薬剤、例えば、臭化アンモニウムの水溶液を貯留する酸化剤容器１４が配管を介して接続されている。二流体ノズル９には、アンモニアガスと臭化アンモニウム水溶液が供給され、アンモニアガスを噴射ガスとして臭化アンモニウム水溶液を煙道７内に噴射できるようになっている。二流体ノズル９と脱硝剤容器１３の間の管路途中にはガス混合調整器１５が設けられている。ガス混合調整器１５は、脱硝剤容器１３から供給されたアンモニアガスと空気などの希釈ガス１７を所定の流量比に調整できるようになっている。二流体ノズル９と酸化剤容器１４の間の管路途中には吐出量を調整可能なポンプ１９が設けられている。ポンプ１９は、酸化剤容器１４から二流体ノズル９に臭化アンモニウム水溶液を供給するようになっている。
【００１８】
脱硝触媒層１１は、排ガス中の窒素酸化物をアンモニアで還元する反応及び排ガス中の金属水銀を臭素で酸化して臭化水銀を生成する反応を促進する３元触媒などの周知の触媒で形成されている。脱硝触媒層１１の出口側には、脱硝触媒層１１から排出された排ガス中の窒素酸化物濃度を検出するＮＯｘモニタ２１と、金属水銀を検出するＨｇモニタ２３が設けられている。ＮＯｘモニタ２１は、ガス混合調整器１５に接続され、Ｈｇモニタ２３はポンプ１９の図示していない吐出量調整手段に接続されている。
【００１９】
脱硝装置５の後流側には、集塵装置や湿式脱硫装置などを含む排ガス浄化装置２５が備えられている。排ガス浄化装置２５は、排ガス中の煤塵、硫黄酸化物、臭化水銀などを排ガスから除去するようになっている。排ガス浄化装置２５で浄化された排ガスは、図示していない煙突から排出されるようになっている。
【００２０】
次に、実施形態１のボイラプラントの動作を説明する。ボイラ１で発生した排ガスは、節炭器３により、例えば、３５０℃〜５００℃の温度に調整される。温度調整された排ガスには、二流体ノズル９からアンモニアガスと臭化アンモニウム水溶液が添加される。添加された臭化アンモニウム水溶液は、煙道７内を通流する過程で排ガスの熱により気化するとともに、臭素とアンモニアに解離する。脱硝触媒層１１には、アンモニアと臭素を伴う排ガスが導入される。脱硝触媒層１１は、排ガス中の窒素酸化物がアンモニアにより窒素に還元される反応を促進し、かつ、排ガス中の金属水銀が臭素により水溶性の臭化水銀に酸化される反応を促進する。これにより、排ガスが脱硝され、かつ、金属水銀が酸化される。
【００２１】
脱硝触媒層１１の出口側のＮＯｘモニタ２１及びＨｇモニタ２３により、排ガス中の窒素酸化物濃度及び金属水銀濃度が測定される。ＮＯｘモニタ２１の指示値に応じて、ガス混合調整器１５はアンモニアガスと希釈ガス１７の流量比を、例えば、アンモニア／窒素酸化物のモル比で０．８〜０．９になるよう調整する。
【００２２】
一方、Ｈｇモニタ２３の指示値に応じて、ポンプ１９は臭化アンモニウム水溶液の注入量を、例えば、臭素／金属水銀のモル比で、１００〜５０００、好ましくは３００〜２０００の範囲に調整する。
【００２３】
これによれば、排ガス中の水銀を臭素と反応させて水銀を臭化水銀に酸化できることから、塩素や塩素化合物を使用することなく水銀を酸化することができる。さらに、塩素分が少ない燃料を使用する場合においても、水溶性の水銀化合物の量を増加できることから、湿式脱硫装置などを含む排ガス浄化装置２５で排ガスから除去できる水銀量を増加でき、排ガスの水銀除去率を向上できる。
【００２４】
また、ＮＯｘモニタ２１とＨｇモニタ２３を設け、排ガス中の窒素酸化物濃度及び金属水銀濃度を測定することで、ボイラ１の負荷変動や、燃料の質の変動に応じて、アンモニアガスや臭化アンモニウム水溶液の注入量を制御できる。つまり、ボイラ１から排出された排ガスの窒素酸化物濃度や水銀濃度が変動しても、その変動に応じてアンモニアガス及び臭化アンモニウム水溶液の注入量を調整することから、余剰のアンモニアや臭素の発生を低減できる。
【００２５】
なお、本実施形態は、臭化アンモニウムを煙道７内に注入したが、臭素の単体や臭化ナトリウム、臭化カリウム、臭化水素などの化合物を用いることができる。しかし、ナトリウムは排ガス中でバインダとして働き、後流側の煙道や機器への灰の付着量を増加するおそれがある。また、ナトリウムやカリウムは脱硝触媒の被毒成分となり、脱硝触媒層１１の触媒性能が低下するおそれがある。一方、臭化水素は非常に強い腐食性を持つため取り扱いが困難である。そのため、脱硝触媒の被毒成分を含まず、取り扱いの容易なアンモニウム塩を使用することが好ましい。さらに、アンモニウム塩を使用すると、煙道７内で臭化アンモニウムが解離して発生したアンモニアが脱硝剤として作用するから、アンモニウム塩を使用することで脱硝剤の使用量を低減できる。
【００２６】
本実施形態において、臭素の単体や臭素の化合物を水銀を酸化する薬剤として用いているのは、臭素と水銀の反応は反応速度が速いことから、臭素や臭素の化合物を使用することで、薬剤の使用量を抑えながら水銀を酸化できるからである。しかし、これに代えて、ヨウ素の単体やヨウ素の化合物を注入することができる。この場合、ヨウ素やヨウ素の化合物の注入量を、ヨウ素／金属水銀のモル比で、例えば、１００００〜１５００００、好ましくは、１００００〜５００００となるように調整する。
【００２７】
また、本実施形態は、アンモニアガスを噴射ガスとして臭化アンモニウム水溶液を二流体ノズル９により煙道７内に注入しているが、アンモニアガスと臭化アンモニウム水溶液を別々のノズルから注入することができる。しかし、アンモニアガスを噴射ガスとすることで、脱硝剤を注入するノズルを別途設ける必要がなくなり、脱硝装置５の構成を簡単にできる。
【００２８】
また、希釈ガス１７は空気、酸素、窒素、アルゴンなど、脱硝反応や水銀の酸化反応を妨害しない不活性なものであればよいが、脱硝反応や水銀の酸化反応は酸素の存在下で反応の活性が向上するから、空気や酸素を希釈ガス１７とすることが好ましい。
【００２９】
（実施形態２）
図２に実施形態２の脱硝装置を含むボイラプラントの概略図を示す。実施形態２が実施形態１と相違する点は、脱硝剤容器１３にアンモニアに代えて塩化アンモニウム水溶液を貯留している点である。さらに、ガス混合調整器１５に代えて吐出量を調整可能なポンプ１９を設けて、ポンプ１９の図示していない吐出量調整手段にＮＯｘモニタ２１、Ｈｇモニタ２３を接続している点である。その他の構成は実施形態１と同一であるから同一の符号を付して説明を省略する。
【００３０】
ポンプ１９は、脱硝触媒層１１の出口側の窒素酸化物濃度及び金属水銀濃度に応じて、塩化アンモニウム水溶液の注入量を調整できるようになっている。ポンプ１９により吸い上げられた塩化アンモニウム水溶液は、ポンプ１９に導入される希釈ガス１７に同伴されて二流体ノズル９に気流搬送される。二流体ノズル９に搬送された塩化アンモニウム水溶液は、希釈ガス１７を噴射ガスとして、例えば、３５０℃〜５００℃の煙道７内に噴射される。煙道７内に噴射された塩化アンモニウム水溶液は、煙道７内の熱により気化するとともに、アンモニアと塩素に解離する。解離して発生したアンモニアは、脱硝触媒層１１により排ガス中の窒素酸化物を還元する反応が促進される。一方、解離して発生した塩素は、脱硝触媒層１１により排ガス中の金属水銀を塩化水銀に酸化する反応が促進される。つまり、塩化アンモニウムは、脱硝剤及び水銀を酸化する酸化剤として作用する。
【００３１】
これによれば、塩化アンモニウム水溶液のみを煙道７内に注入することで、排ガスを脱硝でき、かつ、排ガス中の水銀を塩化水銀に酸化することができる。そのため、脱硝剤を別途煙道７内に供給する設備を省略でき、脱硝装置５の薬剤供給系を１系統にすることができることから、脱硝装置５を簡単な構成にすることができる。
【００３２】
なお、塩化アンモニウムに代えてヨウ化アンモニウムを煙道７内に注入することができる。これによっても、排ガスを脱硝でき、かつ、排ガス中の金属水銀をヨウ化水銀に酸化することができる。
【００３３】
一方、臭化アンモニウムを煙道７内に注入すると、臭素と水銀の反応速度が速いことから臭素が大きく過剰となることがある。この場合は、アンモニアや尿素などの脱硝剤を別途注入することができる。
【００３４】
また、本実施形態は、ＮＯｘモニタ２１及びＨｇモニタ２３の指示値に応じて塩化アンモニウム水溶液の注入量を調整しているが、ＮＯｘモニタ２１の指示値のみで塩化アンモニウム水溶液の注入量を調整することができる。つまり、排ガス中の窒素酸化物濃度は水銀濃度の１００００倍以上と高いことから、窒素酸化物濃度に応じて塩化アンモニウムの量を調整することで、水銀の酸化反応に必要な量の塩素を排ガスに添加できる。なお、塩化アンモニウムやヨウ化アンモニウムの注入量は、アンモニア／窒素酸化物のモル比が０．８〜０．９の範囲になるよう調整することができる。
【００３５】
また、水銀を塩化水銀に酸化する場合は、塩化アンモニウム水溶液の注入量を、例えば、塩素／金属水銀のモル比で、例えば、１００００〜１５００００、好ましくは、１００００〜５００００となるようを調整することができる。
【００３６】
（実施形態３）
図３に実施形態３の脱硝装置を含むボイラプラントの概略図を示す。実施形態３が実施形態１と相違する点は、脱硝剤容器１３に液体の脱硝剤、例えば、アンモニア水や尿素水などの液体の脱硝剤を貯留し、脱硝剤を吐出量を調整可能なポンプ３１により吸い上げて臭化アンモニウム水溶液が通流する配管に合流させている点である。さらに、希釈ガス１７の流量や圧力を調整するガス調整器２９を配置し、希釈ガス１７を噴射ガスとして脱硝剤と臭化アンモニウム水溶液を二流体ノズル９から煙道７内に注入している点である。その他の構成は実施形態１と同一であるから同一の符号を付して説明を省略する。
【００３７】
ポンプ３１の図示していない吐出量調整手段には、ＮＯｘモニタ２１が接続されている。ポンプ３１は、ＮＯｘモニタ２１の指示値などに応じて、脱硝剤の供給量を、例えば、アンモニア／窒素酸化物のモル比が０．８〜０．９の範囲になるよう調整するようになっている。ガス調整器２９は、希釈ガス１７の供給量や圧力などを調整し、希釈ガス１７を噴射ガスとして二流体ノズル９から液体の脱硝剤と塩化アンモニウム水溶液を均一に噴射できるようになっている。
【００３８】
これによっても、排ガス中の水銀を臭素と反応させて臭化水銀に酸化できることから、塩素や塩素化合物を使用することなく水銀を酸化することができる。そして、燃料中の塩素分が少なく、排ガス中の塩化水素の量が不足する場合であっても、水銀の酸化量を増加できることから、湿式脱硫装置などを含む排ガス浄化装置２５で排ガスから除去する水銀量を増加できる。さらに、脱硝剤と塩化アンモニウム水溶液を同一の二流体ノズル９から注入することから、脱硝剤と水銀を酸化する薬剤を１系統の注入設備で注入でき、脱硝装置５の構成を簡素化できる。
【００３９】
また、ＮＯｘモニタ２１やＨｇモニタ２３の排ガス中の窒素酸化物濃度や金属水銀濃度の変動を測定し、ポンプ１９、３１を制御できることから、ボイラ１の負荷変動などに応じて脱硝剤や臭化アンモニウム水溶液の流量比を調整でき、薬剤を効率的に使用することができる。
【００４０】
また、脱硝剤と臭化アンモニウム水溶液の流量比を一定にし、脱硝剤と臭化アンモニウム水溶液の濃度を調整する手段を設け、ＮＯｘモニタ２１やＨｇモニタ２３の指示値などに応じてし、アンモニア／窒素酸化物のモル比や臭素／金属水銀のモル比が所定の範囲になるように調整することができる。
【００４１】
なお、水銀を酸化する薬剤は臭化アンモニウムに限定されるものではない。臭素、塩素、ヨウ素などのハロゲンの単体や、ハロゲンの化合物を煙道7内に注入し水銀を酸化することができる。
【００４２】
また、液体の脱硝剤に代えてアンモニアガスなどの気体の脱硝剤を臭化アンモニウム水溶液が通流する配管に導入し、臭化アンモニウム水溶液を気流搬送することができる。この場合、ポンプ３１に代えてガス調整器などの気体の流量や圧力を調整できる手段を設け、ガス調整器などにＮＯｘモニタ２１を接続する。そして、ＮＯｘモニタ２１の指示値に応じて気体の脱硝剤を臭化アンモニウム水溶液が通流する配管に導入し、臭化アンモニウム水溶液を気流搬送する。例えば、排ガス量が１０００ｍ３Ｎ／ｈ程度で、窒素酸化物の濃度が１００ｐｐｍの条件においては、アンモニアガスの流量を１．５Ｌ／ｍｉｎ（アンモニア／窒素酸化物のモル比を０．９）とすることで、臭化アンモニウム水溶液を気流搬送し、二流体ノズル９から噴射することができる。一方、排ガスの量が多く、大容量の二流体ノズル９を用いる場合は、アンモニアガスのみで臭化アンモニウム水溶液を気流搬送して噴射すると、アンモニアガスの量が過剰となりすぎるおそれがある。この場合、アンモニアガスに希釈ガス１７を混合し、混合ガスで臭化アンモニウム水溶液を気流搬送し、二流体ノズル９から噴射することができる。なお、気体の脱硝剤で水銀を酸化する薬剤を気流搬送する場合は、水銀を酸化する薬剤は臭化アンモニウムに限定されず、ハロゲンの単体や化合物を使用することができる。
【符号の説明】
【００４３】
１  ボイラ
５  脱硝装置
７  煙道
９  二流体ノズル
１１  脱硝触媒層
１３  脱硝剤容器
１４  酸化剤容器 
【図１】
2010162520.tif 000003
【図２】
2010162520.tif 000004
【図３】
2010162520.tif 000005